(57)【要約】【課題】従来の携帯電話機器では、使用者は、撮影を行う毎に、撮影ライトの発光色等の撮影条件を設定した後に撮影を行うため、ベストショットを逃してしまうという問題があった。【解決手段】本発明の携帯電話機器では、一度の連続撮影中に、ブラケット撮影及び露出を固定した状態で、撮影ライトの発光色を変えながら連続撮影を行うことで、種々の撮影条件での連続撮影を行うことができる。そして、連続撮影方式で取得した複数のサムネイル画像データを表示部１７に一覧表示させることができる。そのことで、本発明では、使用者は、種々の撮影条件で取得した画像データを確認し、所望の画像データを選択し、保存することができる。その結果、使用者は、ベストショットを逃すことなく、撮影を行うことができる。【選択図】    図５
2005055546.tif 000002
【特許請求の範囲】
【請求項１】
複数の発光色を有し、被写体に対し所望の前記発光色を照射する照射手段と、
入射光を電気信号に変換して画像データとして出力し、前記照射手段により前記発光色を変更しながら連続撮影を行う連続撮影手段と、
前記連続撮影手段により取得した複数の原画像データを記憶する画像データ記憶手段とを具備することを特徴とする携帯電話機器。
【請求項２】
前記連続撮影手段では、露出レベルを変更しながら連続撮影を行う第１の撮影手段と、前記露出レベルを固定した状態で連続撮影を行う第２の撮影手段とを有することを特徴とする請求項１に記載の携帯電話機器。
【請求項３】
前記連続撮影手段では、１回の連続撮影の中で前記第１及び第２の撮影手段により、それぞれ連続撮影を行うことを特徴とする請求項２に記載の携帯電話機器。
【請求項４】
前記照射手段により所望の前記発光色を照射しながら、前記第１の撮影手段により連続撮影を行うことを特徴とする請求項２に記載の携帯電話機器。
【請求項５】
前記照射手段により前記発光色を変更しながら、前記第２の撮影手段により連続撮影を行うことを特徴とする請求項２に記載の携帯電話機器。
【請求項６】
前記照射手段では、前記連続撮影手段による撮影開始前まで所望の前記発光色を照射することを特徴とする請求項１に記載の携帯電話機器。
【請求項７】
前記原画像データを表示する表示手段と、
前記原画像データからサムネイル画像データを生成するサムネイル画像データ生成手段とを具備し、
前記表示手段では、前記連続撮影手段により複数の前記原画像データを取得した後、該原画像データの前記サムネイル画像データを一覧表示することを特徴とする請求項１に記載の携帯電話機器。
【請求項８】
前記画像データ記憶手段では、前記原画像データ及び前記サムネイル画像データを一時的に記憶する第１の画像データ記憶手段と、前記連続撮影手段を介して１回の連続撮影で取得した複数の前記原画像データ及び前記サムネイル画像データを選択的に同一のフォルダ内に恒久的に記憶する第２の画像データ記憶手段とを有することを特徴とする請求項７に記載の携帯電話機器。
【発明の詳細な説明】
【０００１】
【発明の属する技術分野】
本発明は、携帯電話機器のカメラ機能を用い、種々の撮影条件により連続撮影する技術に関する。
【０００２】
【従来の技術】
近年、電子機器は小型化、高機能化が進んでいる。例えば、携帯電話機器では、画面が大型化し、大量の文字情報や画像を表示出来るようになっている。
【０００３】
すなわち、携帯電話機器において表示画面が大型化し、多くの情報を表示出来るようになると共に、カラー化により画像の表示においても充分実用となっている。そして、最近の携帯電話機器の中には、カメラ機能を搭載する、いわゆるカメラ付携帯電話機器があり、このカメラ付携帯電話機器では、記憶容量、画像表示サイズ、カメラの解像度及び処理能力が向上している。
【０００４】
従来の柄合せ装置では、例えば、模様を有する生地を所定の供給位置から撮影位置に移動し、生地をカメラで撮影し、得られた画像データに対する画像処理に基づき生地の柄の位置を検出する。そして、検出した柄の位置に基づき生地の位置を補正して所定位置に１枚ずつ移動させる。このとき、ＬＥＤ照明を選択して照射させ、また、背景色となる撮影テーブルを選択し、撮影条件を変更しつつ最適な撮影条件を決定し、柄検出を行うことで、生地の特性に左右されない装置とする（例えば、特許文献１参照。）。
【０００５】
また、従来の乱丁自動検出装置では、例えば、複数色の光源を有し、各色の発光強度を可変させながら被写体を照射してその画像を撮影し、得られた画像の自己相関を発光強度の各々について算出し、最大のものを求める。そして、最大の自己相関を与える発光強度に設定された光源で被写体を照射し、被写体の色に応じた適切な画像を取得する。また、被写体の画像を取り込む期間においてのみ被写体を照射することで、光源の高速ストロボ化を実現し、作業者の不快感を抱くのを防止する（例えば、特許文献２参照。）。
【０００６】
また、従来の顕微鏡システムでは、被写体である試料を拡大する顕微鏡と、試料を撮像するデジタルスチルカメラと、デジタルスチルカメラが撮像した画像の表示及び記録、及び顕微鏡システムの操作を行うパーソナルコンピュータから構成されている。そして、上記顕微鏡システムでは、ＡＧＣ回路により画像の明るさを変化させ、また、ハロゲンランプの色温度を変化させることで、また、照明光の波長を変化させるフィルタにより色合いの異なる画像信号を取得していた。このシステムにより、使用者は、連続的に撮影された画像の中から最も好適な画像を選択することで、未処理原画として最適な画像を得ることができる（例えば、特許文献３参照。）。
【０００７】
また、従来のデジタルスチルカメラでは、ストロボ発光を行う場合には、ストロボ発光部に装着されたプロテクタの前面にストロボフィルタが装着されており、このストロボフィルタによりストロボ光の光色が調整される。そして、撮影により取得された画像データは、ストロボ発光された場合には、室内ストロボ色補正の処理が画像に施され、内蔵メモリに書き込まれる。このことで、内蔵メモリ内の画像データをＬＣＤに表示し、プリンタでハードコピーを作成する場合にも適切に色再現できる（例えば、特許文献４参照。）。
【０００８】
【特許文献１】
特開平７−２６５５６９号公報（第３−５頁、第９−１０図）
【特許文献２】
特開平１１−５４２８９号公報（第５−８頁、第１−４図）
【特許文献３】
特開平１１−３２６７７９号公報（第９−１４頁、第５−９図）
【特許文献４】
特開２０００−２８４３４９号公報（第２２−２５頁、第１１−１２図）
【０００９】
【発明が解決しようとする課題】
従来のカメラ機能を有する携帯電話機器では、上述したように、連続撮影時に、適正露出前後の露出を変更して撮影を行うブラケット撮影機能を有しておらず、撮影の都度、使用者が、撮影条件設定を行いながら、撮影を行っていた。
【００１０】
また、従来のカメラ機能を有する携帯電話機器では、撮影ライト機能を有するが、この場合においても、使用者が、撮影の都度、撮影ライトの色を選択し、設定することで撮影を行っていた。
【００１１】
そのため、従来のカメラ機能を有する携帯電話機器では、使用者が、撮影毎に、撮影条件を設定する必要があり、その設定操作が手間であるという問題があった。また、使用者が、撮影条件を撮影毎に変更する必要があり、ベストショットを撮影する機会を逸してしまうという問題があった。
【００１２】
更に、従来のカメラ機能を有する携帯電話機器では、連続撮影機能を有するが、その連続撮影時に撮影ライトの発光色を変更しながら撮影する機能を有しておらず、また、露出レベルを変更しながら撮影するブラケット機能を有していなかった。そのため、１回の連続撮影により取得した複数の画像に変化が見られなかった。そして、使用者が、設定した撮影条件による撮影画像が必ずしもベストショットではなく、種々の撮影条件による連続撮影の中から、ベストショットを選択できないという問題があった。
【００１３】
本発明は、カメラ機能を有する携帯電話機器において、連続撮影時に、撮影ライトの発光色を変化させながら撮影を行うことで、一度の連続撮影で、種々の撮影画像を取得することができ、使用者はベストショットを容易に撮影することができる。
【００１４】
【課題を解決するための手段】
本発明は、上述した各事情に鑑みて成されたものであり、本発明の携帯電話機器では、複数の発光色を有し、被写体に対し所望の前記発光色を照射する照射手段と、入射光を電気信号に変換して画像データとして出力し、前記照射手段により前記発光色を変更しながら連続撮影を行う連続撮影手段と、前記連続撮影手段により取得した複数の原画像データを記憶する画像データ記憶手段とを具備することを特徴とする。従って、本発明の携帯電話機器では、該携帯電話機器の連続撮影手段において、照射手段により発光色を変化させながら撮影を行い、種々の発光色による連続撮影を行うことができる。
【００１５】
また、本発明の携帯電話機器では、前記連続撮影手段では、露出レベルを変更しながら連続撮影を行う第１の撮影手段と、前記露出レベルを固定した状態で連続撮影を行う第２の撮影手段とを有することを特徴とする。従って、本発明の携帯電話機器では、様々な撮影条件における連続撮影を行うことができるので、使用者はベストショットを逃すことなく撮影を行うことができる。
【００１６】
また、本発明の携帯電話機器では、前記連続撮影手段では、１回の連続撮影の中で前記第１及び第２の撮影手段により、それぞれ連続撮影を行うことを特徴とする。従って、本発明の携帯電話機器では、使用者は、１回の連続撮影の中で、露出レベルを変更させながら、また、露出レベルを固定した状態での連続撮影を行うことができる。
【００１７】
また、本発明の携帯電話機器では、前記照射手段により所望の前記発光色を照射しながら、前記第１の撮影手段により連続撮影を行うことを特徴とする。従って、本発明の携帯電話機器では、使用者は、所望の発光色により照射された状態で、露出レベルを変更させながら連続撮影を行うことができるので、夜間時等の暗い場所においても、撮影を行うことができる。
【００１８】
また、本発明の携帯電話機器では、前記照射手段により前記発光色を変更しながら、前記第２の撮影手段により連続撮影を行うことを特徴とする。従って、本発明の携帯電話機器では、使用者は、照射手段により発光色を変化させながら撮影を行い、種々の発光色による連続撮影を行うことができる。
【００１９】
また、本発明の携帯電話機器では、前記照射手段では、前記連続撮影手段による撮影開始前まで所望の前記発光色を照射することを特徴とする。従って、本発明の携帯電話機器では、前記照射手段を撮影時だけでなく、撮影前にも用いることで、使用者は、夜間時等の暗い場所においても、容易に被写体を決定し、撮影することができる。
【００２０】
また、本発明の携帯電話機器では、前記原画像データを表示する表示手段と、前記原画像データからサムネイル画像データを生成するサムネイル画像データ生成手段とを具備し、前記表示手段では、前記連続撮影手段により複数の前記原画像データを取得した後、該原画像データの前記サムネイル画像データを一覧表示することを特徴とする。従って、本発明の携帯電話機器では、使用者が、携帯電話機器のカメラ機能を用いて取得した複数の原画像データから作成されたサムネイル画像データを生成し、サムネイル画像データを表示手段に一覧表示することができる。そして、使用者は、該サムネイル画像データの一覧表示画面を確認した後、ベストショット画像を選択することができる。
【００２１】
また、本発明の携帯電話機器では、前記画像データ記憶手段では、前記原画像データ及び前記サムネイル画像データを一時的に記憶する第１の画像データ記憶手段と、前記連続撮影手段を介して１回の連続撮影で取得した複数の前記原画像データ及び前記サムネイル画像データを選択的に同一のフォルダ内に恒久的に記憶する第２の画像データ記憶手段とを有することを特徴とする。従って、本発明の携帯電話機器では、使用者は、サムネイル画像データの一覧表示画面を確認した後、１回の撮影で取得した画像データ毎に同一のフォルダに保存でき、また、使用者の選択により、所望の画像データのみを撮影毎に同一のフォルダに保存することができる。
【００２２】
【発明の実施の形態】
以下に、本発明における一実施の形態について、図１〜図８を参照にして詳細に説明する。本発明は、任意の携帯機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。
【００２３】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。
【００２４】
図１（Ａ）及び（Ｂ）に示す如く、例えば、スピーカ２は携帯電話機１の蓋部内側の上方中央に、マイク３は本体部内側の下方中央にそれぞれ配置されている。また、キー操作部１８は、撮影を行うためのシャッターキー１９、カメラモードを起動させるカメラキー１８１、電源投入するための電源キー１８２、メールモードを起動させるメールキー１８３、十字キー１８４、数字入力及び文字入力を行うテンキー１８５等から構成されている。
【００２５】
そして、表示部１７は、スピーカ２が配置されている蓋部内側に四角形状で配置されており、第２表示部４は四角い形状で蓋部外側の中央付近に配置されいる。更に、撮像部１２は、蓋部外側のヒンジ近くの中央付近に配置され、閉じた状態でも第２表示部４で被写体を確認しながら撮影ができる。また、背面キー５は第２表示部４の下方に配され、閉じた状態でシャッターキーとして使用され、使用者が自らを撮影するのに適している。一方、開いた状態で撮影する場合は、表示部１７あるいは第２表示部４で被写体を確認しながら、キー操作部１８のシャッターキー１９を押下することで撮影することができる。
【００２６】
本実施の形態の携帯電話機１では、蓋部外側のヒンジ近くの中央付近に配置された撮像部１２の近傍には、撮影ライト２７が配置されている。そして、撮影ライト２７は、撮影時に発光することでストロボ機能として用いられる。また、撮影ライト２７は、撮影前では、一定の間、被写体を照射することで、補助光として用いられる。つまり、使用者は、夜間等の比較的に暗い場所においても、撮影ライト２７により撮影前に被写体を容易に判別できる。
【００２７】
また、撮像部１２での撮影モードでは、接写モード及び非接写モード（以下、通常モードと呼ぶ。）を有する。そして、使用者が、例えば、撮像部１２近傍に設けられた切替レバー３１を操作することで、両モードのどちらかが選択される。通常モードでは、相当な距離を有した状態で、被写体を撮影する場合に適し、一方、接写モードでは、バーコード等の比較的接近した状態での撮影に適する。接写モードでは、例えば、バーコードの画像データから種々の情報を取得することができる。
【００２８】
図２に示す如く、本実施の形態の携帯電話機１は、主に、制御部１１、撮像部１２、画像処理部１３、第１メモリ１４、第２メモリ１５、表示ドライバ部１６、表示部１７、キー操作部１８、シャッターキー１９、バックライト２０、画像圧縮処理部２１、画像伸張処理部２２、アンテナ２３、無線部２４、通信制御部２５、画像切換え制御部２６、撮影ライト２７を備えている。
【００２９】
制御部１１は、携帯電話機１を構成する各部位の動作を制御し、例えば、画像処理部１３、第１メモリ１４、第２メモリ１５、表示ドライバ部１６、バックライト２０、画像圧縮処理部２１、画像伸張処理部２２、通信制御部２５、画像切換え制御部２６、撮影ライト２７等を制御する。撮像部１２は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。撮像部１２は、被写体で反射されて撮像レンズに入射した光を、カラーフィルタを通してＲＧＢの３色光にし、ＲＧＢの３色光をそれぞれ前記撮像素子によって電気信号に変換する。
【００３０】
画像処理部１３は、増幅部、Ａ／Ｄ（アナログ／デジタル）変換部、信号処理部からなる。増幅部は、撮像部１２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１１から送られてくる制御信号に基づいて、信号処理を施した画像データを第１メモリ１４に送る。
【００３１】
第１メモリ１４は、信号処理部から送られてくる画像データを一時的に記憶している。このとき、画像データは、画像切換え制御部２６を介して、直接、第１メモリ１４へと送られる。そして、例えば、時間的に古い画像データは消去する、あるいは最も新しい画像データを上書きすることで一時的に画像データを記憶する。
【００３２】
制御部１１は、表示ドライバ部１６に制御信号を送信するとともに、第１メモリ１４に記憶された画像データを、表示ドライバ部１６に送る。
【００３３】
表示ドライバ部１６は、表示部１７に表示しようとする画像データに従って、表示部１７の各画素電極に対して駆動電圧を印加する。表示部１７は、液晶ディスプレイおよびＥＬ（Ｅｌｅｃｔｒｏ  Ｌｕｍｉｎｅｓｃｅｎｓｅ）ディスプレイなどで実現され、表示ドライバ部１６を介して送られてくる画像データに基づく画像を表示する。
【００３４】
バックライト２０は、発光素子である発光ダイオードなどから構成され、表示部１７を背面より照明する。バックライト２０の点灯、消灯の制御および輝度調整などの制御は、制御部１１によって行われる。尚、バックライト２０は、使用者によって消灯するための所定の操作が行われるまで点灯する構成としてもよいし、点灯してから所定時間が経過すると消灯する構成としてもよい。
【００３５】
キー操作部１８は、上述したように、数字および文字を入力するためのテンキー１８５などから構成される。
【００３６】
シャッターキー１９は、カメラ撮影時において、使用者が所望の画像を撮影したい時に押下される。そして、制御部１１は、シャッターキー１９からの指示信号に応答して、第１メモリ１４に記憶されている画像データを一時的に保存させる。その後、制御部１１は、使用者の指示に基づき、一時的に保存する画像データを画像圧縮処理部２１に送り、画像圧縮処理部２１で圧縮処理させ、第２メモリ１５に保存させる。更に、第２メモリ１５は、予め、設定されている画像データ、音楽データを保存しており、また、アンテナ２３等を介して受信した各種受信データ、例えば、画像データ、音楽データ、文字データ等及び電話帳検索モードにおける電話番号、氏名等の情報データを保存する。
【００３７】
画像圧縮処理部２１は、制御部１１の指示に基づき、通信制御部２５から送られたそれぞれの画像データを所定の圧縮方式で圧縮処理をし、その圧縮処理をした画像データを第２メモリ１５へと送る。また、制御部１１の指示に基づき、第１メモリ１４内に一時的に保存されている画像データを所定の圧縮方式で圧縮処理をし、その圧縮処理をした画像データを第２メモリ１５へと送る。一方、画像伸張処理部２２は、第２メモリ１５内に圧縮し、保存されている画像データを読み込み、伸張処理をする。そして、画像伸張処理部２２は、その伸張処理をした画像データを表示ドライバ部１６へと送る。
【００３８】
アンテナ２３は、無線電波を介して基地局と無線通信を行うときに、音声データ、文字データおよび画像データなどを送受信する。無線部２４は、所定の通信プロトコルに基づいて、受信時は、基地局からアンテナ２３を介して受信したデータを復調し、送信時は、通信制御部２５から送られてくる文字データおよび画像データなどを変調して増幅し、アンテナ２３を介して基地局に送信する。通信制御部２５は、受信データの中で無線部２４が復調した画像データを、画像切換制御部２６を介して画像圧縮部２１に送る。そして、画像圧縮部２１では、無線部２４、通信制御部２５、画像切換制御部２６を介して受信した相手先からの画像データを、圧縮処理をし、第２メモリ１５に記憶させる。また、通信制御部２５は、受信データの中で文字データ等を制御部１１の指示に基づき、第２メモリ１５へと送る。
【００３９】
画像切換え制御部２６は、画像データの取得時に、画像処理部１３及び通信制御部２５のどちらの経路から画像データが送られるかを切り換える。
【００４０】
撮影ライト２７は、赤色のＬＥＤ（Ｌｉｇｈｔ  Ｅｍｉｔｔｉｎｇ  Ｄｉｏｄｅ）、緑色のＬＥＤ及び青色のＬＥＤから構成されている。そして、それぞれのＬＥＤには、駆動電流を供給しＬＥＤの発光させる駆動回路が設けられ、制御部１１の撮影ライト制御手段からの制御信号に基づき、駆動回路を介して任意の組み合わせの色を発光する。
【００４１】
また、本実施の形態における制御部１１内の連続撮影手段では、例えば、６連写撮影、９連写撮影、１８連写撮影の撮影方式を有している。そして、使用者が、カメラモード起動後に撮影方式を設定すると、制御部１１内の連続撮影手段では、第１メモリ１４を制御し、例えば、使用者がシャッターキー１９を１回押下すると、設定された条件下における撮影動作を繰り返し、設定された複数駒の静止画像データ（以下、原画像データという。）を一時的に第１メモリ１４へと保存させる。このとき、詳細は後述するが、取得した原画像データに対応するサムネイル画像データが生成され、同様に、第１メモリ１４へと一時的に保存される。
【００４２】
尚、本実施の形態では、１回の連続撮影で取得された複数の原画像データ及びサムネイル画像データには、第２メモリ１５に保存される際には、同一のフォルダ内に保存されること、ｎ回目（ｎは１、２、３…の整数とする。）の撮影時に取得されたデータである等のヘッダー情報が添付されている。
【００４３】
制御部１１内の撮影ライト制御手段では、撮影ライト２７を構成する赤色、緑色及び黄色のＬＥＤを個々に、または、組み合わせて点灯させるため、それぞれのＬＥＤに設けられた駆動回路に制御信号を送る。そして、撮影ライト制御手段では、画像処理部１３からの色信号により、発光させるＬＥＤの発光色、発光強度を判断する。一方、撮影ライト制御手段では、画像処理部１３からのタイミング信号に基づいて、ＬＥＤを駆動させる駆動回路の駆動電流値を制御し、撮影時に所望の発光色を点灯させる。
【００４４】
具体的には、本実施の形態の携帯電話機１では、例えば、９連写撮影の場合には、１．５秒間に９駒の原画像データを取得する。本実施の形態の１つでは、最初の５駒は、撮影ライト２７を消灯した状態でブラケット撮影（露出を変更させながら行う連続撮影）を行い、その後の４駒を、例えば、白色、黄色、赤色、紫色と撮影ライト２７の発光色を変えながら連続撮影を行う。このとき、撮影ライト制御手段では、ＬＥＤを駆動させる駆動回路の駆動電流値を制御し、上記タイミングでＬＥＤを発光させる。
【００４５】
尚、本実施の形態では、赤色、緑色及び黄色のＬＥＤにおいて、多くとも１つのＬＥＤを連続して２回までの連続点灯で抑えることで、ＬＥＤ自身の消耗を抑止できる。しかしながら、連続撮影時のＬＥＤの点灯例は、上述した場合に限定する必要はなく、種々の点灯の仕方が可能である。
【００４６】
また、本実施の形態の携帯電話機１では、撮影ライト２７を点灯するケースとして、例えば、使用者が撮影の被写体を決定する際の補助光として用いる場合もある。この場合、撮影ライト制御手段では、使用者の指示する発光色で撮影ライト２７を点灯させるため、ＬＥＤを駆動させる駆動回路の駆動電流値を制御し続け、一定時間の間、撮影ライト２７を点灯させる。
【００４７】
制御部１１内のフォルダ作成手段では、第１メモリ１４、第２メモリ１５、画像圧縮処理部２１を制御し、第１メモリ１４に一時的に保存されている原画像データ及びサムネイル画像データを所定の圧縮方式で圧縮処理をし、第２メモリ１５に保存させる。このとき、制御部１１内のフォルダ作成手段では、原画像データ及びサムネイル画像データは、それぞれのデータの有するヘッダー情報に基づき、１回の連続撮影で取得された複数の原画像データ及びその原画像データから生成されたサムネイル画像データを識別する。そして、制御部１１内のフォルダ作成手段では、第２メモリ１５内に連続撮影毎に応じて個々にフォルダを作成し、連続撮影毎に画像データを保存させる。
【００４８】
尚、図１（Ｂ）では第２表示部４を示しているが、図２では第２表示部４及びそれに伴う表示ドライバ部及びバックライトは省略している。
【００４９】
次に、図３は同携帯電話機に入力された原画像データをサムネイル画像データに変換処理するサムネイル生成のシーケンスを説明するフローチャートであり、図４は同携帯電話機において、画像データ保存用メモリデータフィールドの詳細構成を示す模式図である。
【００５０】
本実施の形態では、携帯電話機１に設けられたカメラモードを利用して被写体を撮影することができる。そして、上述したように、本実施の形態では、ＤＣＦフォーマット形成を採用しており、撮像部１２から出力される画像データから、原画像データとサムネイル画像データとが生成され、第１メモリ１４に一時的に保存される。サムネイル画像データは原画像データを縮小して形成されるので、同一の画面に複数の画像データを同時に表示することができる。
【００５１】
図３に示す如く、例えば、作業用メモリのビットマップの原画像データの画像サイズについては縦サイズがＹ、横サイズがＸであると想定し、サムネイル画像データの画像サイズは縦サイズがｙ、横サイズがｘであると想定する。
【００５２】
先ず、原画像データの横サイズＸと、サムネイル画像データの横サイズｘとを比較し、Ｘ≧ｘであり（ステップＳ１）、且つ、Ｘ／Ｙ≧ｘ／ｙの場合には（ステップＳ２のＹＥＳ）、原画像データの縦サイズＹと横サイズＸとの比率が変わらないように、それぞれｘ／Ｘ倍に、同比率で縮小する（ステップＳ３）。そして、縮小された画像データに関し、Ｘ／Ｙ＝ｘ／ｙの場合には（ステップＳ４のＹＥＳ）、縮小画像データサイズとサムネイル画像データサイズが一致しており、その縮小画像データをそのままサムネイルサイズ領域に配置し、サムネイル画像データが生成される（ステップＳ５）。一方、縮小画像データに関し、Ｘ／Ｙ≠ｘ／ｙの場合には（ステップＳ４のＮＯ）、縮小画像データをサムネイルサイズ領域にセンタリング配置する（ステップＳ６）。その後、サムネイルサイズ領域の余白領域は、任意の背景色で塗りつぶされ、サムネイル画像データが生成される（ステップＳ１２）。
【００５３】
また、Ｘ／Ｙ＜ｘ／ｙの場合には（ステップＳ２のＮＯ）、原画像データの縦サイズＹと横サイズＸとの比率が変わらないように、それぞれｙ／Ｙ倍に、同比率で縮小する（ステップＳ７）。そして、縮小画像データをサムネイルサイズ領域にセンタリング配置する（ステップＳ８）。その後、サムネイルサイズ領域の余白領域は、任意の背景色で塗りつぶされ、サムネイル画像データが生成される（ステップＳ１２）。
【００５４】
そして、Ｘ＜ｘであり（ステップＳ１）、且つ、Ｙ≧ｙの場合には（ステップＳ９のＹＥＳ）、原画像データの縦サイズＹと横サイズＸとの比率が変わらないように、それぞれｙ／Ｙ倍に、同比率で縮小する（ステップＳ７）。そして、縮小画像データをサムネイルサイズ領域にセンタリング配置する（ステップＳ８）。その後、サムネイルサイズ領域の余白領域は、任意の背景色で塗りつぶされ、サムネイル画像データが生成される（ステップＳ１２）。
【００５５】
また、Ｙ＜ｙの場合には（ステップＳ９のＮＯ）、既に、原画像データサイズがサムネイル画像データサイズより小さく、原画像データの縮小は行わない（ステップＳ１０）。そして、原画像データをサムネイルサイズ領域にセンタリング配置する（ステップＳ１１）。その後、サムネイルサイズ領域の余白領域は、任意の背景色で塗りつぶされ、サムネイル画像データが生成される（ステップＳ１２）。
【００５６】
上述したように、本実施の形態では、原画像データを縮小し、縮小画像データをサムネイルサイズ領域にセンタリング配置することにより、サムネイル画像データが容易に生成される。尚、サムネイル画像データの作成方法としては、上述した方法に限定する必要はなく、種々の方法により生成することができる。
【００５７】
次に、図４に示す如く、本実施の形態における画像データ保存用メモリの各データフィールドには、原画像データを記憶する原画像フィールド、図３で上述したように原画像データをサムネイル画像データへ処理し、そのサムネイル画像データを記憶するサムネイル画像フィールド及び画像種別等を記憶する画像情報フィールドを有している。具体的には、携帯電話機１のカメラモードを用いて取得された原画像データ及びサムネイル画像データは、先ず、第１メモリ１４に一時的に記憶される。そして、使用者が表示部１７を介して撮影した画像を確認し、撮影した画像データを保存することを指示すると、その画像データは第２メモリ１５に、所定の圧縮方式で圧縮処理され保存される。そして、図４に示した第２メモリ１５の画像保存用メモリには、各レコード毎に、原画像データとサムネイル画像データが画像圧縮されて保存されている。
【００５８】
一方、上述したように、画像情報フィールドには、携帯電話機１のカメラモードを用いて取得された画像データが１度の連続撮影において取得されたという情報、その連続撮影においてｎ回目の撮影時に取得された情報等が保存されている。つまり、図示の如く、第２メモリ１５内の画像データ保存用メモリでは、１回の連続撮影に応じてフォルダが個別に作成され、そのフォルダ内に連続撮影により取得された原画像データ、サムネイル画像データ、ヘッダー情報等が保存され、フォルダー毎に区分して管理されている。
【００５９】
また、本実施の形態では、上述したように、ブラケット撮影及び、例えば、標準露出の状態で撮影ライト２７の発光色を可変しながら連続撮影を行うが、その連続撮影で取得された画像データを選択的に同一フォルダ内に保存することもできる。
【００６０】
次に、図５は本発明の携帯電話機のカメラモードを用いて、種々の撮影条件で連続撮影する動作を説明するためのフローチャートであり、図６は同携帯電話機において、連続撮影のシーケンスを説明するためのフローチャートであり、図７は同携帯電話機において、連続撮影の撮影方式を説明するための図であり、図８は同携帯電話機において、取得した複数の原画像データから生成したサムネイル画像データを一覧表示する表示画面を説明するための図である。
【００６１】
本実施の形態では、図５に示す如く、使用者がキー操作部１８に設けられたカメラモードを起動させるカメラキー１８１を操作しカメラモードを起動させることを指示すると、制御部１１がカメラモードの起動を認識し、カメラモードを起動させる。具体的には、制御部１１はカメラモードのアプリケーションを起動させると同時に撮像部１２及び画像処理部１３に電源を供給する（ステップＳ２１）。
【００６２】
次に、使用者は、キー操作部１８を操作し、例えば、６連写撮影、９連写撮影、１８連写撮影から連続撮影方式を選択すると、制御部１１内の連続撮影手段は、設定された撮影方式を認識する（ステップＳ２２）。尚、詳細は後述するが、本実施の形態では、この連写撮影中に、ブラケット撮影及び露出を固定した状態で、撮影ライト２７の発光色を、例えば、白色、黄色、赤色、紫色と可変しながら連続撮影を行う。そのことで、使用者は、種々の撮影条件における画像を一度に取得でき、ベストショットを逃すことなく、撮影を行うことができる。
【００６３】
次に、制御部１１は画像処理部１３に制御部１１内に記憶されている画像処理データである画像撮影サイズ及び画像画質データを渡すことにより、撮像の状態が設定される（ステップＳ２３）。
【００６４】
次に、使用者が、例えば、室内等で光量の少ない場所で撮影する場合には、キー操作部１８を操作し、撮影ライト２７を点灯させることを指示すると（ステップＳ２４のＹＥＳ）、制御部１１内の撮影ライト制御手段は、撮影ライト２７を制御し、撮影ライト２７を点灯させる（ステップＳ２５）。
【００６５】
次に、使用者が撮像部１２内の、例えば、ＣＣＤイメージセンサの撮像素子等を駆動して被写体を映すことで、撮像部１２からその被写体の画像データが取り込まれ、第１メモリ１４に入力される。そして、制御部１１が第１メモリ１４、表示ドライバ部１６を制御し、表示部１７に使用者が映した画像を表示させる。一方、使用者が表示部１７に表示された画像を確認し、その被写体を連続撮影するか否かの判断をする。そして、使用者が被写体を連続撮影する場合、使用者はシャッターキー１９を押下する（ステップＳ２６のＹＥＳ）。このとき、先ず、制御部１１内の撮影ライト制御手段は、撮影ライト２７を制御し、撮影ライト２７を消灯させる（ステップＳ２７）。その後、制御部１１内の連続撮影手段は、画像処理部１３を制御し、設定された駒の連続撮影を行った後に第１メモリ１４に送っている画像データをストップさせる（ステップＳ２８）。
【００６６】
一方、使用者が、撮影場所の光量が十分であり、撮影ライト２７の点灯は必要でないと判断した場合には（ステップＳ２４のＮＯ）、上述したように、使用者が表示部１７に表示された画像を確認し、その被写体を連続撮影するか否かの判断をする。そして、使用者が被写体を連続撮影する場合、使用者はシャッターキー１９を押下する（ステップＳ２９のＹＥＳ）。制御部１１内の連続撮影手段は、画像処理部１３を制御し、設定された駒の連続撮影を行った後に第１メモリ１４に送っている画像データをストップさせる（ステップＳ２８）。
【００６７】
次に、制御部１１は、画像処理部１３を制御し、取得した原画像データからサムネイル画像データを生成させる（ステップＳ３０）。制御部１１は、第１メモリ１４に送られてきた複数の原画像データ及びその画像に対応したサムネイル画像データを一時的に保存させる（ステップＳ３１）。一方、制御部１１は、第１メモリ１４及び表示ドライバ部１６を制御し、表示部１７に連続撮影した複数のサムネイル画像データの一覧を表示させる（ステップＳ３２）。尚、使用者が、シャッターキー１９を押下しない場合には、表示部１７に使用者が映した画像を表示させた状態のままである（ステップＳ２６、２９のＮＯ）。
【００６８】
次に、使用者は、表示部１７に表示されたサムネイル画像データの一覧表示画面を確認し、キー操作部１８を操作し、所望のサムネイル画像データを選択し、拡大表示させることを指示する（ステップＳ３３）。制御部１１は、第１メモリ１４及び表示ドライバ部１６を制御し、選択したサムネイル画像データに対応する原画像データを表示部１７に表示させる（ステップＳ３４）。
【００６９】
次に、使用者は、表示部１７に表示された原画像データを確認し、選択した原画像データ及びサムネイル画像データを保存する場合には、例えば、表示部１７に表示された保存アイコンに対応するキー操作部１８を押下する（ステップＳ３５のＹＥＳ）。制御部１１のフォルダ作成手段は、第１メモリ１４、第２メモリ１５及び画像圧縮処理部２１を制御し、先ず、第２メモリ１４にこれらの画像データを保存する新たなフォルダを作成する。そして、制御部１１のフォルダ作成手段は、選択した原画像データ及びサムネイル画像データを所定の圧縮方式で圧縮処理をし、上記フォルダ内に保存させる（ステップＳ３６）。その後、ステップＳ３２へと戻り、使用者は、再び、表示部１７に表示されるサムネイル画像データの一覧表示画面を確認し、その他のサムネイル画像データを選択し、拡大表示させるか、否かの判断をする（ステップＳ３３）。尚、使用者が、保存アイコンに対応するキー操作部１８を押下しない場合には（ステップＳ３５のＮＯ）、表示部１７には原画像データが表示された状態のままである（ステップＳ３４）。
【００７０】
ここで、使用者が、上述したように、個々のサムネイル画像データを選択し、拡大表示させ、選択した原画像データ及びサムネイル画像データを保存するか、否かの判断を行う場合には、使用者は、ステップＳ３３からステップＳ３６の動作を繰り返し行う。そして、使用者が、この動作を繰り返すことで、連続撮影で取得した画像データの中で、保存することを望む原画像データ及びサムネイル画像データのみを選択し、保存することができる。このとき、本実施の形態の携帯電話機１では、選択的に保存する場合においても、一度の連続撮影で取得した原画像データ及びサムネイル画像データを同一フォルダ内に保存することができる。
【００７１】
一方、使用者は、表示部１７に表示されたサムネイル画像データの一覧表示画面を確認し、所望のサムネイル画像データを選択し、拡大表示させない場合には（ステップＳ３３のＮＯ）、使用者は、表示部１７に表示されているサムネイル画像データ及びその原画像データを一括して保存するか、否かの判断をする。そして、使用者が、原画像データ及びサムネイル画像データを一括保存する場合には、例えば、表示部１７に表示された保存アイコンに対応するキー操作部１８を押下する（ステップＳ３７のＹＥＳ）。上述したように、制御部１１のフォルダ作成手段は、第１メモリ１４、第２メモリ１５及び画像圧縮処理部２１を制御し、先ず、第２メモリ１４にこれらの画像データを保存する新たなフォルダを作成する。そして、制御部１１のフォルダ作成手段は、連続撮影した原画像データ及びサムネイル画像データを所定の圧縮方式で圧縮処理をし、上記フォルダ内に一括保存させる（ステップＳ３８）。その後、ステップＳ２６へと戻り、使用者は、再び、表示部１７に表示される画像を確認し、その被写体を連続撮影するか否かの判断をする。
【００７２】
このとき、上述したように、一度の連続撮影で取得した原画像データ及びサムネイル画像データを同一フォルダ内に保存することができるが、本実施の形態の携帯電話機１では、最初から一括保存する場合、または、選択保存した後に残りの画像データを一括保存する場合がある。どちらの場合においても、ヘッダー情報に基づき、一度の連続撮影で取得した原画像データ及びサムネイル画像データを同一フォルダ内に保存することができる。
【００７３】
次に、使用者が、例えば、表示部１７に表示された保存アイコンに対応するキー操作部１８を押下せず（ステップＳ３７のＮＯ）、表示部１７に表示された終了アイコンに対応するキー操作部１８を押下すると（ステップＳ３９のＹＥＳ）、制御部１１は、携帯電話機１のカメラモードを終了させる。この場合、第１メモリ１４内に一時的に保存されていた原画像データ及びサムネイル画像データは消去される。一方、使用者が、終了アイコンに対応するキー操作部１８を押下しない場合には（ステップＳ３９のＮＯ）、表示部１７にはサムネイル画像データの一覧表示画面が表示された状態のままである（ステップＳ３２）。
【００７４】
次に、図６（Ａ）及び図６（Ｂ）では、図５のステップＳ２８における連続撮影のシーケンスを示している。本実施の形態の携帯電話機１では、上述したように、例えば、６連写撮影、９連写撮影、１８連写撮影の撮影方式を有している。
【００７５】
先ず、図６（Ａ）では、９連写撮影を行う場合に関して示しており、使用者が撮影する被写体を決定し、使用者がシャッターキー１９を押下すると（ステップＳ４１）、制御部１１の連続撮影手段では、画像処理部１３を制御し、設定された駒の連続撮影を行う（ステップＳ４２）。このとき、画像処理部１３では、例えば、最初の５駒に関し、露出を−２、−１、０（標準露出）、＋１、＋２と変えながら、ブラケット撮影を行う。そして、携帯電話機１では、ブラケット撮影中には、撮影ライト２７は消灯した状態であり、露出の変化による画像データを取得することができる。
【００７６】
次に、画像処理部１３では、例えば、露出を０に固定した状態で、残りの４駒に関し、連続撮影を行うが、このとき、その連続撮影に合わせて撮影ライト２７の発光色を、例えば、白色、黄色、赤色、紫色と変えながら撮影を行う（ステップＳ４３）。このとき、制御部１１内の撮影ライト制御手段では、画像処理部１３からのタイミング信号に基づいて、ＬＥＤを駆動させる。つまり、撮影ライト２７を構成する赤色、緑色及び黄色のＬＥＤを個々に、または、組み合わせて点灯させ、種々の発光色を点灯させる。
【００７７】
本実施の形態の携帯電話機１では、上述したように、９連写撮影では、撮影ライト２７をＯＦＦにした状態でのブラケット撮影により、また、露出を固定し、撮影ライト２７の発光色を変更しながら連続撮影を行う。そのことで、本実施の形態では、一度の９連写撮影で、種々の撮影条件における画像データを取得できるので、ベストショットを逃すことなく、いろいろな画像を楽しむことができる。
【００７８】
尚、本実施の形態では、最初に、ブラケット撮影を行っているが、この場合に限定する必要はなく、最後の５駒において、ブラケット撮影を行っても良い。また、連続撮影時に、撮影ライト２７の発光色を変えているが、この発光色の順序も任意の変更が可能である。
【００７９】
図６（Ｂ）では、１８連写撮影を行う場合に関して示しており、使用者が撮影する被写体を決定し、使用者がシャッターキー１９を押下すると（ステップＳ５１）、制御部１１の連続撮影手段では、画像処理部１３を制御し、設定された駒の連続撮影を行う（ステップＳ５２）。このとき、図５（Ａ）の場合と同様に、画像処理部１３では、露出を−２、−１、０（標準露出）、＋１、＋２と変えながら、ブラケット撮影を行う。
【００８０】
次に、画像処理部１３では、例えば、露出を０に固定した状態で、４駒の連続撮影を行うが、このとき、その連続撮影に合わせて撮影ライト２７の発光色を、例えば、白色、黄色、赤色、紫色と変更しながら撮影を行う（ステップＳ５３）。
【００８１】
次に、画像処理部１３では、例えば、露出を−１に固定した状態で、４駒の連続撮影を行うが、このとき、その連続撮影に合わせて撮影ライト２７の発光色を、例えば、白色、黄色、赤色、紫色と変更しながら撮影を行う（ステップＳ５４）。
【００８２】
次に、画像処理部１３では、例えば、露出を−２に固定した状態で、４駒の連続撮影を行うが、このとき、その連続撮影に合わせて撮影ライト２７の発光色を、例えば、白色、黄色、赤色、紫色と変更しながら撮影を行う（ステップＳ５５）。
【００８３】
最後に、画像処理部１３では、例えば、露出を＋１に固定した状態で、残りの１駒の撮影を行うが、このとき、その連続撮影に合わせて撮影ライト２７の発光色を、例えば、白色を発光させ、撮影を行う（ステップＳ５６）。
【００８４】
尚、図６（Ｂ）に示す１８連写撮影の場合においても、９連写撮影の場合と同様に、ブラケット撮影のタイミング、撮影ライト２７の発光色の順序等の変更が、可能である。また、１８連写撮影では、露出を固定した状態での連続撮影を数回行うが、露出の固定する順序の変更も可能である。
【００８５】
次に、図７では、図５のステップＳ２８における連続撮影に関し、その撮影方式について説明する。
【００８６】
上述したように、本実施の形態では、接写モード及び通常モードによる２種類の撮影モードを有し、使用者の選択により、どちらかの撮影モードを選択することができる。そして、接写モード及び通常モードのどちらの撮影モードにおいても、撮影ライト２７の発光色を変更させながら、連続撮影を行うことができる。
【００８７】
ここで、本実施の形態では、ストロボ機能として撮影ライト２７を用いることが出来るが、接写モードにおける撮影と通常モードにおける撮影時には、その発光量に差を設けている。つまり、接写モードによる撮影では、携帯電話機１と被写体との距離は近距離となるため、通常モードと同等な発光量で撮影を行うと、露出過多となってしまう。そのため、制御部１１内の撮影ライト制御手段では、撮影モードに応じて、ＬＥＤを駆動させる駆動回路の駆動電流値を制御し、撮影時の発光量をコントロールする。
【００８８】
更に、本実施の形態では、撮影前に補助光として撮影ライト２７を用いることが出来るが、使用者が、事前に発光色を設定することで、その設定した発光色で被写体を照らすことができる。このとき、本実施の形態では、撮影ライト２７の発光量は、接写モードによる連続撮影時の発光量と同等である。しかしながら、撮影ライト２７の発光量は、被写体の露出状況、被写体の距離等により、その発光量は、種々の変更が可能である。
【００８９】
更に、本実施の形態では、露出を変更しながらのブラケット撮影時に、ストロボ機能として撮影ライト２７を用いることが出来る。補助光の場合と同様に、使用者が、事前に発光色を設定することで、その設定した発光色を点灯した状態で、ブラケット撮影を行うことができる。尚、撮影ライト２７の発光量は、接写モードにおける撮影時と通常モードにおける撮影時では、その発光量は異なる。
【００９０】
図示したように、９連続撮影の場合を具体例として、種々の連続撮影時のパターンに関し、説明する。尚、図６の場合と同様に、露出の設定は、１〜５駒までは、露出を−２、−１、０（標準露出）、＋１、＋２と変え、６〜９駒までは、露出の設定は、０（標準露出）に固定する。
【００９１】
先ず、通常モードによる撮影時には、４パターンの撮影方法がある。使用者が、図５のステップＳ２２による撮影方式の設定により、補助光の発光色及びブラケット撮影時の発光色を設定しない場合には、撮影前には、撮影ライトはＯＦＦ状態である。そして、使用者が、シャッターキー１９を押下すると、図６（Ａ）を用いて説明したように、連続撮影が行われる。また、使用者が、ブラケット撮影時の発光色を設定する場合には、使用者によるシャッターキー１９の押下の信号に基づき、撮影ライト２７がＯＮ状態となり、１〜５駒までのブラケット撮影時に、使用者の設定した発光色が強点灯する。その後の６〜９駒までは、図６（Ａ）の場合と同様である。
【００９２】
一方、使用者が、補助光の発光色を設定し、ブラケット撮影時の発光色を設定しない場合には、撮影前に弱点灯していた撮影ライト２７は、シャッターキー１９の押下の信号に基づき、ＯＦＦ状態となる。その後、上述したように、図６（Ａ）を用いて説明したように、連続撮影が行われる。また、使用者が、ブラケット撮影時の発光色を設定する場合には、撮影前に弱点灯していた撮影ライト２７は、１〜５駒までのブラケット撮影時に、設定した発光色により強点灯する。その後の６〜９駒までは、図６（Ａ）の場合と同様である。
【００９３】
次に、接写モードによる撮影時にも、同様に、４パターンの撮影方法がある。そして、接写モードと通常モードとの相違点は、１〜５駒までのブラケット撮影時に、使用者の設定した発光色が弱点灯するか、強点灯するかである。その為、接写モードによる撮影方法は、上述した通常モードの撮影方法の説明を参照とし、ここでは、その説明を省略する。
【００９４】
尚、その他にも撮影ライト２７の点灯を自動設定する場合も有り、自動設定の場合には、制御部１１内の撮影ライト制御手段では、撮像部１２を介して被写体の露出を判別する。そして、制御部１１内の撮影ライト制御手段では、その判断により、撮影前及びブラケット撮影時において、撮影ライト２７を点灯させ、あるいは、非点灯とする。
【００９５】
また、上述した連続撮影では、ブラケット撮影を最初の５駒で行う場合に関し説明したが、この場合に限定する必要はなく、ブラケット撮影は、連続撮影の任意の箇所で行うことができる。その場合には、撮影ライト２７の点灯順序もブラケット撮影に併せて変更される。
【００９６】
次に、図８（Ａ）及び（Ｂ）では、図５のステップＳ３２における表示部１７に表示されるサムネイル画像の一覧表示画面を示している。図８（Ａ）に示す如く、本実施の形態では、例えば、携帯電話機１の表示部１７のほぼ全面に、例えば、３行３列の９駒のサムネイル画像２８が表示される。そのため、例えば、６連写撮影の撮影方式で撮影を行った場合には、表示部１７の上方から６駒のサムネイル画像２８が表示される。また、９連写撮影の撮影方式で撮影を行った場合には、表示部１７には、図示の如く、９駒のサムネイル画像２８が表示される。また、１８連写撮影の撮影方式で撮影を行った場合には、表示部１７には、図示の如く、９駒のサムネイル画像２８が表示され、残りの９駒のサムネイル画像２７は、次頁に表示される。そして、使用者は、キー操作部１８の十字キー１８４を操作し、サムネイル画像２８が表示された両頁を見ることができる。
【００９７】
そして、本実施の形態では、表示部１７に表示された９駒のサムネイル画像２８と図１（Ａ）に示す如く数字の１〜９が割り当てられたテンキー１８５とが対応している。つまり、携帯電話機１では、表示部１７の左一番上に表示されたサムネイル画像２８１と数字１のテンキー１８５とが対応しており、サムネイル画像の一覧表示画面で数字１のテンキー１８５を押下すると、そのサムネイル画像２８１に対応する原画像データが表示部１７に表示される。
【００９８】
尚、サムネイル一覧表示画面から原画像データを表示させる表示方法としては、上述した方法に限定する必要はない。例えば、十字キー１８４を操作し、所望のサムネイル画像を選択した後に、表示部１７に表示される決定アイコン２９に対応するキー操作部１８、例えば、本実施の形態では、シャッターキー１９を押下することで、原画像データを表示させる方法でも良い。
【００９９】
また、表示部１７の下方には、その他、メニューアイコン３０が表示されており、図１（Ａ）に示すキー操作部１８の、例えば、メニューアイコン３０とカメラキー１８１とが対応している。そして、メニューアイコン３０に対応するカメラキー１８１を押下すると、表示部１７に図５のステップＳ３５、Ｓ３７、Ｓ３９に対応した保存アイコン、終了アイコン等が表示される。そして、それらのアイコンに対応するキー操作部１８を押下することで、携帯電話機１では、上述したそれぞれの動作が行われる。
【０１００】
一方、図８（Ｂ）に示すように、本実施の形態の携帯電話機１では、例えば、表示部１７のほぼ全面に、例えば、４行４列の１６駒のサムネイル画像２８を表示することも可能である。そして、図８（Ａ）に示す表示画面と図８（Ｂ）に示す表示画面とは、使用者の設定により変更することができる。
【０１０１】
尚、図８（Ｂ）に示す表示方法においても、図８（Ａ）に示す表示方法と同様に、表示部１７に表示されたサムネイル画像２８とテンキー１８５とがその配列により対応している。図８（Ｂ）では、例えば、数字の１〜０、＊、♯が割り当てられたテンキー１８５がサムネイル画像２８と対応している。そして、その他、表示部１７に表示されるアイコンの動作は図８（Ａ）で説明した場合と同様であるので、その説明を参照とし、ここでは説明を割愛する。その他、本発明の要旨を逸脱しない範囲で、種々の変更が可能である。
【０１０２】
【発明の効果】
上述したように、第１に、本発明の携帯電話機器では、該携帯電話機器が備えるカメラ機能の連続撮影方式において、ブラケット撮影、撮影ライトの発光色の可変撮影等、種々の撮影条件で撮影を行うことができる。そのことで、本発明では、一度の連続撮影で、被写体に対し、種々の撮影条件での画像データを取得できるので、使用者は、ベストショットを逃すことなく、撮影することができる。
【０１０３】
第２に、本発明の携帯電話機器では、該携帯電話機器が備えるカメラ機能の連続撮影方式において、種々の撮影条件で撮影を行い、取得した複数の原画像データ及びそのサムネイル画像データをメモリ内に一時的に保存する。そして、携帯電話機の表示部には、サムネイル画像が一覧表示される。そのことで、本発明では、使用者は、サムネイル画像を選択し、個々の画像を確認した後に、所望の画像データのみを保存することができる。その結果、使用者は、種々の撮影条件による画像の中から、ベストショットの画像を選択し、保存できるので、メモリ容量の有効活用を実現できる。
【０１０４】
第３に、本発明の携帯電話機器では、該携帯電話機器が備えるカメラ機能の連続撮影方式により撮影後、その撮影により取得したサムネイル画像データの一覧表示画面を表示することができる。そのことで、本発明では、使用者は、取得した画像データの個々の画像も、撮影後、直ちに確認することができるので、使用者の利便性を向上させることができる。
【図面の簡単な説明】
【図１】本発明の実施の形態である携帯電話機器の（Ａ）開いた状態での内側（キー面）から見た概観図、（Ｂ）閉じた状態での外側（背面）から見た概観図である。
【図２】同携帯電話機器の電気的構成を説明する概略機能ブロック図である。
【図３】同携帯電話機のサムネイル生成のシーケンスを説明するフローチャートである。
【図４】同携帯電話機の画像データ保存用メモリ内の詳細構成を説明する模式図である。
【図５】同携帯電話機器のカメラモードの連続撮影方式を用いて取得した複数の原画像データを表示部に連続表示する動作を説明するためのフローチャートである。
【図６】同携帯電話機器のカメラモードの連続撮影のシーケンスを説明する（Ａ）９連写用のフローチャートであり、（Ｂ）１８連写用のフローチャートである。
【図７】同携帯電話機器のカメラモードの連続撮影の撮影方式を説明するための図である。
【図８】同携帯電話機器の取得した複数の原画像データから生成したサムネイル画像データを一覧表示する（Ａ）９駒表示画面を説明するための図であり、（Ｂ）１８駒表示画面を説明するための図である。
【符号の説明】
１          カメラ付携帯電話機
２          スピーカー
３          マイク
４          第２表示部
５          背面キー
１１          制御部
１２          撮像部
１３          画像処理部
１４          第１メモリ
１５          第２メモリ
１６          表示ドライバ部
１７          表示部
１８          キー操作部
１９          シャッターキー
２０          バックライト
２１          画像圧縮処理部
２２          画像伸張処理部
２３          アンテナ
２４          無線部
２５          通信制御部
２６          画像切換え制御部
２７          撮影ライト
３１          切替レバー
【図１】
2005055546.tif 000003
【図２】
2005055546.tif 000004
【図３】
2005055546.tif 000005
【図４】
2005055546.tif 000006
【図５】
2005055546.tif 000007
【図６】
2005055546.tif 000008
【図７】
2005055546.tif 000009
【図８】
2005055546.tif 000010